(57)【要約】振動計(５)内の導管を洗浄するように構成されたメータ電子機器(２０)が提供される。メータ電子機器(２０)は、メータ電子機器(２０)に通信可能に結合されたメータアセンブリ(１０)に駆動信号を供給し、メータアセンブリ(１０)から１つまたは複数のセンサ信号を受信するように構成されたインターフェース(２０１)と、インターフェース(２０１)に通信可能に結合された処理システム(２０２)とを備える。処理システム(２０２)は、１つまたは複数の受信センサ信号からパラメータを決定するように構成される。処理システム(２０２)は、さらに、パラメータに基づいて、メータアセンブリ(１０)の不洗浄状態を検出し、洗浄モードに入り、メータアセンブリ(１０)の洗浄状態を検出し、非洗浄モードに入ることの少なくとも１つを実行するように構成される。【選択図】図４
2022500668.tif 000002
【特許請求の範囲】
【請求項１】
振動計(５)内の導管を洗浄するように構成されたメータ電子機器(２０)であって、
メータ電子機器(２０)に通信可能に結合されたメータアセンブリ(１０)に駆動信号を供給し、メータアセンブリ(１０)から１つまたは複数のセンサ信号を受信するように構成されたインターフェース(２０１)と、
前記インターフェース(２０１)に通信可能に結合された処理システム(２０２)とを備え、
該処理システム(２０２)は、
１つまたは複数の受信センサ信号からパラメータを決定し、該パラメータに基づいて、メータアセンブリ(１０)の不洗浄状態を検出し、洗浄モードに入ることと、
メータアセンブリ(１０)の洗浄状態を検出し、非洗浄モードに入ることの少なくとも１つを実行するように構成される、メータ電子機器(２０)。
【請求項２】
前記処理システム(２０２)は更に、
パラメータの値がパラメータのベースライン値から実質的に逸脱する場合、不洗浄状態を検出し、
パラメータの値がパラメータのベースライン値に実質的に等しい場合、洗浄状態を検出するように構成され、
前記ベースライン値は、振動計(５)の以前に決定された洗浄状態に関連付けられる、請求項１に記載のメータ電子機器(２０)。
【請求項３】
前記処理システム(２０２)の洗浄モードは、洗浄ルーチンを実行するように構成され、
該洗浄ルーチンは、
受信された１つまたは複数のピックオフ信号のパラメータの値を決定することと、
パラメータの値をパラメータのベースライン値と比較することと、
比較に基づいて不洗浄状態を検出することとを反復的且つ繰り返し実行することを含む、請求項１に記載のメータ電子機器(２０)。
【請求項４】
前記処理システム(２０２)は更に、メータ電子機器(２０)が洗浄モードにある間、メータアセンブリ(１０)の洗浄状態を検出し、洗浄状態が検出された場合、非洗浄モードに入るように構成された、請求項１に記載のメータ電子機器(２０)。
【請求項５】
洗浄モードに入るように構成された処理システム(２０２)は、処理システム(２０２)の洗浄モードを示す洗浄モード信号を経路(２６)を介して送るように構成された、請求項１に記載のメータ電子機器(２０)。
【請求項６】
前記駆動信号は、共振成分と、少なくとも１つの非共振成分とを含み、
前記１つ又は複数のセンサ信号は、少なくとも１つの成分を含み、前記少なくとも１つの成分は、前記駆動信号の前記少なくとも１つの非共振成分に対応し、
前記パラメータは、前記駆動信号の前記少なくとも１つの非共振成分と、前記駆動信号の前記少なくとも１つの非共振成分に対応する前記少なくとも１つの成分とから決定され、
前記パラメータは、前記メータアセンブリ(１０)の剛性、質量、及び導管(１３０、１３０')の減衰のうちの１つである、請求項１に記載のメータ電子機器(２０)。
【請求項７】
受信された１つまたは複数のセンサ信号は、右側ピックオフ信号及び左側ピックオフ信号のうちの少なくとも１つから構成され、前記パラメータは、右側ピックオフ信号及び左側ピックオフ信号のうちの１つに関連付けられる、請求項１に記載のメータ電子機器(２０)。
【請求項８】
１つまたは複数のセンサ信号から決定されるパラメータは、１つまたは複数のセンサ信号の駆動ゲインと、メータアセンブリの共振周波数とのうちの１つを含む、請求項１に記載のメータ電子機器(２０)。
【請求項９】
振動計の導管を洗浄する方法であって、
メータアセンブリに駆動信号を供給するステップと、
前記メータアセンブリから１つまたは複数のセンサ信号を受信するステップと、
処理システムを使用して１つまたは複数の受信センサ信号のパラメータを決定するステップとを含み、
パラメータに基づいて、
メータアセンブリの不洗浄な状態を検出し、処理システムを洗浄モードに設定するステップと、
メータアセンブリの洗浄状態を検出し、処理システムを非洗浄モードに設定するステップとの少なくとも１つを含む、方法。
【請求項１０】
不洗浄状態は、パラメータの値がパラメータのベースライン値から実質的に逸脱する場合に検出され、
洗浄状態は、パラメータの値がパラメータのベースライン値に実質的に等しい場合に検出され、
ベースライン値は、振動計の以前に決定された洗浄状態に関連付けられる、請求項９に記載の方法。
【請求項１１】
洗浄モードは、洗浄ルーチンを含み、該洗浄ルーチンは、
受信された１つまたは複数のピックオフ信号のパラメータの値を決定するステップと、
パラメータの値をパラメータのベースライン値と比較するステップと、
比較に基づいて未洗浄条件を検出するステップとを反復的に繰り返し実行する、請求項９に記載の方法。
【請求項１２】
更に、洗浄モードにある間、メータアセンブリの洗浄状態を検出するステップと、
洗浄状態が検出されると、非洗浄モードに入るステップとを含む、請求項９に記載の方法。
【請求項１３】
処理システムを洗浄モードに設定するステップは、処理システムが、処理システムの洗浄モードを示す信号を経路を介して送るステップを含む、請求項９に記載の方法。
【請求項１４】
前記駆動信号は、共振成分と、少なくとも１つの非共振成分とを含み、
前記１つ又は複数のセンサ信号は、少なくとも１つの成分を含み、前記少なくとも１つの成分は、前記駆動信号の前記少なくとも１つの非共振成分に対応し、
前記パラメータは、前記駆動信号の前記少なくとも１つの非共振成分と、前記駆動信号の前記少なくとも１つの非共振成分に対応する前記少なくとも１つの成分とから決定され、
前記パラメータは、前記メータアセンブリの剛性、質量、及び導管の減衰のうちの１つである、請求項９に記載の方法。
【請求項１５】
受信された１つまたは複数のセンサ信号は、右側ピックオフ信号及び左側ピックオフ信号のうちの少なくとも１つから構成され、パラメータは、右側ピックオフ信号及び左側ピックオフ信号のうちの1つに関連付けられる、請求項９に記載の方法。
【請求項１６】
１つまたは複数のセンサ信号から決定されるパラメータは、１つまたは複数のセンサ信号の駆動ゲインと、メータアセンブリの共振周波数とを含む、請求項９に記載の方法。
【発明の詳細な説明】
【技術分野】
【０００１】
以下に記載される実施形態は、振動計の洗浄に関し、より詳細には、振動計の洗浄及び洗浄状態の検出に関する。
【背景技術】
【０００２】
例えば、振動式デンシトメータ及びコリオリ流量計のような振動式センサは一般に知られており、流量計内の導管を通って流れる物質の質量流量及び他の情報を測定するために使用される。例示的なコリオリ流量計は、全てがJ.E.Smithらに帰属する米国特許第4,109,524号、米国特許第4,491,025号、及び再特許31,450号に開示されており、これらの流量計は、真っ直ぐなまたは湾曲した構成の１つまたは複数の導管を有する。コリオリ質量流量計における各導管構成は、例えば、単純な曲げ、ねじり、または結合型であってもよい一組の固有振動モードを有する。各導管は、好ましいモードで振動するように駆動される。
【０００３】
流量計の入口側の接続されたパイプラインから流量計に材料が流れ込み、導管を通って導かれ、流量計の出口側を通って流量計から出る。振動系の固有振動モードは、導管の結合質量と導管内を流れる材料によって部分的に定義される。
【０００４】
流量計を通る流れがない場合、導管に印加される駆動力により、導管に沿った全ての点が、同じ位相、またはゼロ流量で測定される時間遅延である小さな「ゼロオフセット」で振動される。材料が流量計を通って流れ始めると、コリオリの力により、導管に沿った各点は異なる位相を持つ。例えば、流量計の入口端部の位相は、中央駆動位置での位相より遅れ、その一方、出口端部の位相は、中央駆動位置での位相より進む。導管上のピックオフは、導管の運動を表す正弦波信号を生成する。ピックオフから出力された信号は、ピックオフ間の時間遅延を決定するために処理される。２つ以上のピックオフ間の時間遅延は、導管を流れる材料の質量流量に比例する。
【０００５】
ドライバに接続されたメータ電子機器は、駆動信号を生成して、ドライバを動作させ、ピックオフから受け取った信号から材料の質量流量及び他の特性を決定する。ドライバは、多くの周知の構成のうちの１つを備えることができるが、磁石及び対向する駆動コイルは、流量計の業界にて大きな成功を収めた。導管を所望の振幅及び周波数で振動させるために、交流電流が駆動コイルに流される。このピックオフを、ドライバ装置の構成と非常に類似した磁石及びコイルの構成として提供することも、当該技術分野で公知である。しかしながら、ドライバは、動作を誘発する電流を受けている間、ピックオフは、ドライバによって提供される動作を使用して電圧を誘発することができる。ピックオフによって測定される時間遅延の大きさは非常に小さく、しばしばナノ秒で測定される。従って、トランスデューサ出力が非常に正確であることが必要である。
【０００６】
しかし、振動計における不明な条件は、トランスデューサの精度に影響を及ぼす可能性がある。例えば、振動計内のコーティング(被覆)は、ピックオフ間の時間遅延を変化させる可能性がある。その結果、流量計で測定される特性が不正確になる場合がある。さらに、コーティングが検出されず、洗浄プロセスが実行されない場合、流量計による不正確な測定値も同様に検出されないことがある。さらに、洗浄プロセスが実行されるとき、流量計はオフラインであり、それによって、流量計が使用されるシステムにおいてダウンタイム(休止時間)を引き起こす。このダウンタイムは、使用者が洗浄プロセスを停止する必要があるなど、手動による介入が必要なために、不必要に長くなることがある。従って、振動計において洗浄し、洗浄状態を検出するニーズがある。
【発明の概要】
【課題を解決するための手段】
【０００７】
振動計内の導管を洗浄するように構成されたメータ電子機器が提供される。一実施形態によると、メータ電子機器は、メータ電子機器に通信可能に結合されたメータアセンブリに駆動信号を供給し、メータアセンブリから１つまたは複数のセンサ信号を受信するように構成されたインタフェースと、インタフェースに通信可能に結合された処理システムとを備える。一実施形態によれば、処理システムは、受信された１つまたは複数のセンサ信号からパラメータを決定し、該パラメータに基づいて、メータアセンブリの不洗浄状態を検出し、洗浄モードに入り、メータアセンブリの洗浄状態を検出し、非洗浄モードに入ることの少なくとも１つを実行するように構成される。
【０００８】
振動計における導管の洗浄方法が提供される。一実施形態によれば、この方法は、メータアセンブリに駆動信号を供給するステップと、メータアセンブリから１つまたは複数のセンサ信号を受信するステップと、処理システムを使用して１つまたは複数の受信したセンサ信号のパラメータを決定するステップとを含む。本実施形態によれば、本方法はまた、パラメータに基づいて、メータアセンブリの不洗浄状態を検出し、処理システムを洗浄モードに設定するステップと、メータアセンブリの洗浄状態を検出し、処理システムを非洗浄モードに設定するステップの少なくとも１つを含む。
【０００９】
態様
一態様によればメータ電子機器(２０)は、振動計(５)内の導管を洗浄するように構成され、メータ電子機器(２０)に通信可能に結合されたメータアセンブリ(１０)に駆動信号を供給し、メータアセンブリ(１０)から１つまたは複数のセンサ信号を受信するように構成されたインターフェース(２０１)と、インターフェース(２０１)に通信可能に結合された処理システム(２０２)とを備える。処理システム(２０２)は、１つまたは複数の受信センサ信号からパラメータを決定するように構成される。処理システム(２０２)は、さらに、パラメータに基づいて、メータアセンブリ(１０)の不洗浄状態を検出し、洗浄モードに入り、メータアセンブリ(１０)の洗浄状態を検出し、非洗浄モードに入ることの少なくとも１つを実行するように構成される。
【００１０】
好ましくは、処理システム(２０２)は更に、パラメータの値がパラメータのベースライン値から実質的に逸脱する場合、不洗浄状態を検出し、パラメータの値がパラメータのベースライン値に実質的に等しい場合、洗浄状態を検出するように構成される。ベースライン値は、振動計(５)の以前に決定された洗浄状態に関連付けられる。
【００１１】
好ましくは、処理システム(２０２)の洗浄モードは、洗浄ルーチンを実行するように構成された処理システム(２０２)を含む。洗浄ルーチンは、受信された１つまたは複数のピックオフ信号のパラメータの値を決定することと、パラメータの値をパラメータのベースライン値と比較することと、比較に基づいて不洗浄状態を検出することを反復的且つ繰り返し実行することを含む。
【００１２】
好ましくは、処理システム(２０２)は更に、メータ電子機器(２０)が洗浄モードにある間、メータアセンブリ(１０)の洗浄状態を検出するように構成され、洗浄状態が検出された場合、非洗浄モードに入る。
好ましくは、洗浄モードに入るように構成された処理システム(２０２)は、処理システム(２０２)の洗浄モードを示す洗浄モード信号を経路(２６)を介して送るように構成された処理システム(２０２)を含む。
【００１３】
前記駆動信号は、共振成分と、少なくとも１つの非共振成分とを含み、前記１つ又は複数のセンサ信号は、少なくとも１つの成分を含み、前記少なくとも１つの成分は、前記駆動信号の前記少なくとも１つの非共振成分に対応し、前記パラメータは、前記駆動信号の前記少なくとも１つの非共振成分と、前記駆動信号の前記少なくとも１つの非共振成分に対応する前記少なくとも１つの成分とから決定され、前記パラメータは、前記メータアセンブリ(１０)の剛性、質量、及び導管(１３０、１３０')の減衰のうちの１つであることが好ましい。
【００１４】
好ましくは、受信された１つまたは複数のセンサ信号は、右側ピックオフ信号及び左側ピックオフ信号のうちの少なくとも１つから構成され、パラメータは、右側ピックオフ信号及び左側ピックオフ信号のうちの１つに関連付けられる。
好ましくは、１つまたは複数のセンサ信号から決定されるパラメータは、１つまたは複数のセンサ信号の駆動ゲインと、メータアセンブリの共振周波数とのうちの１つを含む。
【００１５】
一態様によれば、振動計の導管を洗浄する方法は、メータアセンブリに駆動信号を供給するステップと、メータアセンブリから１つまたは複数のセンサ信号を受信するステップと、処理システムを使用して１つまたは複数の受信センサ信号のパラメータを決定するステップとを含む。この方法はまた、パラメータに基づいて、メータアセンブリの不洗浄な状態を検出し、処理システムを洗浄モードに設定するステップと、メータアセンブリの洗浄状態を検出し、処理システムを非洗浄モードに設定するステップとの少なくとも１つを含む。
【００１６】
好ましくは、不洗浄状態は、パラメータの値がパラメータのベースライン値から実質的に逸脱する場合に検出され、洗浄状態は、パラメータの値がパラメータのベースライン値に実質的に等しい場合に検出される。ベースライン値は、振動計の以前に決定された洗浄状態に関連付けられる。
好ましくは、洗浄モードは、受信された１つまたは複数のピックオフ信号のパラメータの値を決定するステップと、パラメータの値をパラメータのベースライン値と比較するステップと、比較に基づいて未洗浄条件を検出するステップとを反復的に繰り返し実行する洗浄ルーチンを含む。
【００１７】
好ましくは、本方法は更に、洗浄モードにある間、メータアセンブリの洗浄状態を検出するステップと、洗浄状態が検出されると、非洗浄モードに入るステップとを含む。
好ましくは、処理システムを洗浄モードに設定するステップは、処理システムが、処理システムの洗浄モードを示す信号を経路を介して送るステップを含む。
【００１８】
前記駆動信号は、共振成分と、少なくとも１つの非共振成分とを含み、前記１つ又は複数のセンサ信号は、少なくとも１つの成分を含み、前記少なくとも１つの成分は、前記駆動信号の前記少なくとも１つの非共振成分に対応し、前記パラメータは、前記駆動信号の前記少なくとも１つの非共振成分と、前記駆動信号の前記少なくとも１つの非共振成分に対応する前記少なくとも１つの成分とから決定され、前記パラメータは、前記メータアセンブリの導管の剛性、質量、及び減衰のうちの１つであることが好ましい。
【００１９】
好ましくは、受信された１つまたは複数のセンサ信号は、右側ピックオフ信号及び左側ピックオフ信号のうちの少なくとも１つから構成され、パラメータは、右側ピックオフ信号及び左側ピックオフ信号のうちの1つに関連付けられる。
好ましくは、１つまたは複数のセンサ信号から決定されるパラメータは、１つまたは複数のセンサ信号の駆動ゲインと、メータアセンブリの共振周波数とを含む。
【図面の簡単な説明】
【００２０】
全ての図面において、同じ符号は同じ要素を表す。図面は必ずしも縮尺通りではないことを理解されたい。
【図１】振動計５を示す図である。
【図２】振動計において洗浄し、洗浄状態を検出するためのメータ電子機器２０を示す。
【図３】振動計における不洗浄状態の検出を示すグラフ３００を示す。
【図４】振動計において洗浄状態を検出する方法４００を示す。
【図５】振動計を洗浄する方法５００を示す。
【発明を実施するための形態】
【００２１】
図１乃至図５及び以下の説明は、振動計の洗浄及び振動計における洗浄状態の検出の実施形態の最良の形態をどのように作成し、使用するかを当業者に教示するための特定の例を示す。本発明の原理を教示する目的で、一部の従来の態様が単純化又は省略されている。当業者は、本明細書の範囲内に含まれるこれらの例からの変形例を理解するであろう。当業者であれば、以下に説明する特徴を様々な方法で組み合わせて、振動計の洗浄及び洗浄状態の検出の複数の変形形態を形成することができることを理解するであろう。結果として、以下に記載される実施形態は、以下に記載される特定の例に限定されず、特許請求の範囲及びそれらの均等物によってのみ限定される。
【００２２】
図１は、振動計５を示す。図１に示すように、振動計５は、メータアセンブリ１０及びメータ電子機器２０を備える。メータアセンブリ１０は、プロセス材料の質量流量及び密度に応答する。メータ電子機器２０は、センサ信号線１００を介してメータアセンブリ１０に接続され、密度、質量流量、経路２６上の温度情報及び/又は他の情報を提供する。
【００２３】
メータアセンブリ１０は、一対のマニホールド１５０及び１５０'、フランジネック１１０及び１１０'を有するフランジ１０３及び１０３'、一対の平行な導管１３０及び１３０'、ドライバ１８０、抵抗温度検出器(RTD)１９０、及び一対のピックオフセンサ１７０l及び１７０rを含む。導管１３０及び１３０'は、２つの大凡直線状の入口脚部１３１、１３１'及び出口脚部１３４、１３４'を有し、両脚部は、導管取付けブロック１２０及び１２０'で互いに向かって収束する。導管１３０、１３０'は、それらの長さに沿って２つの対称位置で曲がり、それらの長さ全体にわたって本質的に平行である。ブレースバー１４０及び１４０'は、各導管１３０、１３０'がその周りで振動する軸Ｗ及びＷ'を規定する役割を果たす。導管１３０、１３０'の脚部１３１、１３１'及び１３４、１３４'は、導管取付けブロック１２０及び１２０'に固定的に取り付けられ、これらのブロックは、次に、マニホールド１５０及び１５０'に固定的に取り付けられる。これは、メータアセンブリ１０を通る連続的な閉鎖材料経路を提供する。
【００２４】
穴１０２及び１０２'を有するフランジ１０３及び１０３'が、入口端部１０４及び出口端部１０４'を介して、測定されるべきプロセス材料を運ぶプロセスライン(図示せず)に接続されると、材料は、フランジ１０３のオリフィス１０１を通って流量計の入口端部１０４に入り、マニホールド１５０を通って、表面１２１を有する導管取付けブロック１２０に導かれる。マニホールド１５０内で、材料は分割され、導管１３０、１３０'を通って送られる。導管１３０、１３０'を出ると、プロセス材料は、表面１２１'及びマニホールド１５０'を有するブロック１２０'内で単一の流れに再結合され、その後、穴１０２'を有するフランジ１０３'によってプロセスライン(図示せず)に接続された出口端部１０４'に送られる。
【００２５】
導管１３０、１３０'は、曲げ軸Ｗ−Ｗ及びＷ′−Ｗ′の周りにて実質的に同じ質量分布、慣性モーメント及びヤング率を有するように選択され、導管取付けブロック１２０、１２０'に適切に取り付けられる。これらの曲げ軸は、ブレースバー１４０、１４０'を通る。導管のヤング率が温度によって変化するほど、この変化は、流れ及び密度の計算に影響を与え、ＲＴＤ１９０は導管１３０'に取り付けられて、導管１３０'の温度を連続的に測定する。導管１３０'の温度、及び導管を通過する所与の電流に対してＲＴＤ１９０を通って現れる電圧は、導管１３０'を通過する材料の温度によって支配される。ＲＴＤ１９０の両端に現れる温度依存性の電圧は、導管の温度のあらゆる変化による導管１３０、１３０'の弾性係数の変化を補償するために、メータ電子機器２０による周知の方法で使用される。ＲＴＤ１９０は、リード線１９５によってメータ電子機器２０に接続される。
【００２６】
両導管１３０、１３０'は、夫々の曲げ軸Ｗ及びＷ'を中心として、反対方向にドライバ１８０によって駆動される、これは流量計の第1位相外れ曲げモードと呼ばれる。このドライバ１８０は、導管１３０'に取り付けられた磁石及び導管１３０に取り付けられた対向コイルのような多くの周知の構成のいずれか１つを含み、対向コイルを通って、両導管１３０、１３０'を振動させるために交流電流が通される。適切な駆動信号が、リード線１８５を介して、メータ電子機器２０によってドライバ１８０に印加される。
【００２７】
メータ電子機器２０は、リード線１９５上のＲＴＤ温度信号、及び左右のセンサ信号１６５l、１６５rをそれぞれ搬送するセンサ信号線１００上に現れる左右のセンサ信号を受信する。メータ電子機器２０は、ドライバ１８０へのリード線１８５に現れる駆動信号を生成し、導管１３０、１３０'を振動させる。メータ電子機器２０は、左右のセンサ信号及びＲＴＤ信号を処理して、メータアセンブリ１０を通過する材料の質量流量及び密度を計算する。この情報は、他の情報と共に、信号として経路２６を介してメータ電子機器２０によって印加される。
【００２８】
以下の方程式に従って質量流量測定
【数１Ａ】
2022500668.tif 000003
を生成することができる。
【数１】
2022500668.tif 000004
【００２９】
Δt項は、ピックオフセンサ信号間に存在する時間遅延を含む、動作的に導出された(即ち、測定された)時間遅延値を含み、この場合、時間遅延は、振動計５を通る質量流量に関連するコリオリ効果によるものである。測定されたΔt項は、最終的に、振動計５を通って流れる流れ材料の質量流量を決定する。Δｔ０項は、ゼロ流れ較正定数における時間遅延を含む。Δｔ０項は、一般的には工場で決定され、振動計５内にプログラムされる。流れ状態が変化している場合でも、ゼロ流れΔｔ０項での時間遅延は変化しない。流量較正係数ＦＣＦは、流量計の剛性に比例する。
【００３０】
導管が経時的に変化することが問題であり、ここで、導管１３０、１３０'が腐食されるか、浸食されるか、または他の方法で変化するにつれて、初期の工場較正が経時的に変化し得る。結果として、導管１３０、１３０'の剛性は、振動計５の寿命にわたって、初期の代表剛性値(または元の測定された剛性値)から変化する。メータ検証は、以下に説明するように、導管１３０、１３０'の剛性のこのような変化を検出することができる。
【００３１】
図２は、振動計において振動計を洗浄し、洗浄状態を検出するためのメータ電子機器２０を示す。メータ電子機器２０は、インターフェース２０１及び処理システム２０２を含むことができる。メータ電子機器２０は、例えば、メータアセンブリ１０から振動応答を受け取る。メータ電子機器２０は、メータアセンブリ１０を流れる流れ材料の流量特性を得るために、振動応答を処理する。
【００３２】
以前に記載したように、流量較正係数ＦＣＦは、流管の材料特性及び断面特性を反映する。流量計を通って流れる流れ材料の質量流量は、測定された時間遅延(又は位相差/周波数)に流量較正係数ＦＣＦを乗じることによって決定される。流量較正係数ＦＣＦは、メータアセンブリの剛性特性に関連付けることができる。メータアセンブリの剛性特性が変わると、流量較正係数ＦＣＦも変わる。従って、流量計の剛性の変化は、流量計によって生成される流量測定値の精度に影響を及ぼすことになる。
【００３３】
インターフェース２０１は、図１のセンサ信号線１００を介してピックオフセンサ１７０l、１７０rのうちの1つから振動応答を受信する。インターフェース２０１は、フォーマット、増幅、バッファリングなどの任意の方法など、任意の必要なまたは所望の信号調整を実行することができる。あるいは、信号調整の一部または全部を処理システム２０２で行うことができる。更に、インターフェース２０１は、メータ電子機器２０と外部装置との間の通信を可能にすることができる。インターフェース２０１は、電子的、光学的、または無線通信の任意の方法が可能であり得る。インターフェース２０１は、振動応答に基づいて情報を提供することができる。
【００３４】
一実施形態におけるインターフェース２０１は、デジタイザ(図示せず)と連結され、ここで、センサ信号はアナログセンサ信号を含む。デジタイザは、アナログ振動応答をサンプリングし、デジタル化し、デジタル振動応答を生成する。
処理システム２０２は、メータ電子機器２０の動作を行い、メータアセンブリ１０からの流量測定値を処理する。処理システム２０２は、１つまたは複数の処理ルーチンを実行し、それによって、１つまたは複数の流れ特性を生成するために流量測定値を処理する。処理システム２０２は、インターフェース２０１に通信可能に結合され、情報を受信するように構成される。
【００３５】
処理システム２０２は、汎用コンピュータ、マイクロ処理システム、論理回路、又は他の何らかの汎用またはカスタマイズされた処理デバイスを備えることができる。追加的に又は代替的に、処理システム２０２は、複数の処理装置に分散させることができる。処理システム２０２はまた、記憶システム２０４のような、任意の方法の一体型または独立型の電子記憶媒体を含むことができる。
【００３６】
記憶システム２０４は、メータ検証パラメータなどのパラメータ、及びデータ、ソフトウェアルーチン、定数値、及び変数値を記憶することができる。記憶される値は、測定値、ベースライン(基準)値等であってもよい。ベースライン値は、工場較正ルーチンなどの間など、測定値の前に決定された値であってもよい。しかしながら、任意の適切なベースライン値を使用することができる。一実施形態では、記憶システム２０４は、振動計５の動作ルーチン２１０及び検証ルーチン２２０など、処理システム２０２によって実行されるルーチンを含む。振動計５の検証ルーチン２２０は、測定値をベースライン値と比較することを含むことができる。検証ルーチン２２０は、振動計５内の導管の洗浄状態及び/又は不洗浄状態を検出することができる。記憶システムは、標準偏差、信頼区間などの統計値を記憶することもできる。
【００３７】
上記の如く、検証ルーチン２２０は、パラメータの測定値とパラメータのベースライン値とを比較することを含む。例えば、測定値がベースライン値から実質的に逸脱している場合、振動計の洗浄されていない状態などの故障状態を検出することができる。測定値がパラメータのベースライン値に実質的に等しい場合、洗浄状態などの非故障状態を検出することができる。ベースライン値が、以前に決定された洗浄状態に関連付けられる場合、検出された故障状態は、洗浄でない状態であってもよく、検出された非故障状態は、洗浄状態であってもよい。パラメータは、検証ルーチン２２０中に使用することができる任意のものであってもよい。
【００３８】
例えば、図２に示されるパラメータに加えて、またはその代わりに、パラメータは、検証ルーチン２２０中に使用される駆動ゲインであってもよい。駆動ゲインは、コリオリ力を正確に測定するために、１つまたは複数の導管を所望の振幅に振動させるのに必要な電圧の量を測定する。「洗浄された」振動計は、動作時に安定した比較的低い駆動ゲイン値(例えば、１０％未満)を有することができる。導管のコーティングは、所望の振幅を維持するために、より多くの電圧、すなわち駆動ゲインを必要とする不均衡を生成する。流量計が適切に洗浄されると、駆動ゲインは、安定化しコーティング前の値に戻ることができる。検証ルーチン２２０は、ベースライン駆動ゲイン及び測定された駆動ゲインを単独で、または、例えば、図２に示されるような他のパラメータと共に、使用してもしなくてもよく、これは以下でより詳細に説明される。
【００３９】
記憶システム２０４は、ベースラインメータ剛性値２３０を記憶することができる。ベースラインメータ剛性値２３０は、振動計５の製造又は較正中、又は以前の再較正中に決定することができる。例えば、ベースラインメータ剛性値２３０は、振動計５が現場に設置される前に、検証ルーチン２２０によって決定することができる。ベースラインメータ剛性値２３０は、浸食/腐食、損傷(例えば、凍結、過剰加圧など)、コーティングなどのような変化が生じる前の導管１３０、１３０'の剛性を表す。ベースラインメータ剛性値２３０は、複数のベースラインメータ剛性測定値の平均であってもよい。従って、ベースラインメータ剛性値２３０は、以下でより詳細に説明するように、関連する分散特性を有することができ、ベースラインメータ剛性測定値は変化し得る。ベースラインメータの剛性測定値が大きく変化するほど、分散は大きくなる。
【００４０】
記憶システム２０４は、メータ剛性値２３２を記憶することができる。メータ剛性値２３２は、振動計５の動作中に生成される振動応答から決定される剛性値を含む。メータ剛性値２３２は、振動計５の適切な動作を確認するために生成されてもよい。メータ剛性値２３２は、検証プロセスのために生成することができ、ここで、メータ剛性値２３２は、振動計５の適切で正確な動作を検証する目的を果たす。ベースラインメータ剛性値２３０と同様に、メータ剛性値２３２は、複数のメータ剛性測定値の平均であってもよい。そのように、メータ剛性値２３２は、関連する分散特性を有してもよく、そこでは、メータ剛性測定値が変化する。メータ剛性測定値がばらつくほど、ばらつき特性は大きくなる。
【００４１】
記憶システム２０４は、剛性変化値２３４を記憶することができる。剛性変化値２３４は、ベースラインメータ剛性値２３０とメータ剛性値２３２とを比較することによって決定される値とすることができる。例えば、剛性変化値２３４は、ベースラインメータ剛性値２３０とメータ剛性値２３２との間の差であってもよい。この例では、負の数は、流量計が現場に設置されてから、導管１３０、１３０'の剛性が増加したことを示す。正の数は、ベースラインメータ剛性値２３０が決定されたので、導管１３０、１３０'の物理的剛性が減少したことを示す。
【００４２】
理解され得るように、比較は、様々な方法で実行され得る。例えば、剛性変化値２３４は、メータ剛性値２３２とベースラインメータ剛性値２３０との間の差であってもよい。従って、剛性の増加は正の数をもたらし、剛性の減少は負の数をもたらす。これに加えて、又はこれに代えて、導管の幾何学的形状、寸法等の他の値を用いる比率のような、ベースラインメータ剛性値２３０及び/又はメータ剛性値２３２から導出されるか、又はこれらに関連する値を採用することができる。
【００４３】
メータ剛性値２３２がベースラインメータ剛性値２３０と実質的に同じである場合、振動計５、またはより具体的には導管１３０、１３０'は、製造時、較正時、または振動計５が最後に再較正された時から、比較的変化しない可能性があると決定される。あるいは、メータ剛性値２３２がベースラインメータ剛性値２３０と著しく異なる場合、導管１３０、１３０'が、腐食、腐食、破損(例えば、凍結、過剰加圧など)、コーティング、または他の状態によって変化した場合など、導管１３０、１３０'が劣化しており、正確かつ確実に動作していない可能性があると決定される。
【００４４】
上記の如く、ベースラインメータ剛性値２３０及びメータ剛性値２３２は、左右のピックオフセンサ１７０l、１７０rの両方について決定される。即ち、ベースラインメータ剛性値２３０及びメータ剛性値２３２は、左右のピックオフセンサ１７０l、１７０rの間の導管１３０、１３０'の剛性に比例する。結果として、導管１３０、１３０'の異なる状態は、同様の剛性変化値２３４を引き起こし得る。例えば、浸食、腐食及び/又は導管１３０、１３０‘の損傷は、物理的剛性の同様の減少を生じさせ得、これは、負又は「低」剛性変化値２３４によって示され得る。従って、剛性変化値２３４のみに依存する場合、導管１３０、１３０'の特定の状態は、確認できない場合がある。
【００４５】
しかし、左側ピックオフセンサ１７０l及び右側ピックオフセンサ１７０rは、夫々それ自体の関連する剛性値を有することができる。より具体的には、上述のように、ドライバ１８０は、導管１３０、１３０'に力を加え、ピックオフセンサ１７０l、１７０rは、結果として生じる撓みを測定する。ピックオフセンサ１７０l、１７０rの位置における導管１３０、１３０'の撓み量は、ドライバ１８０とピックオフセンサ１７０l、１７０rとの間の導管１３０、１３０'の剛性に比例する。
【００４６】
従って、左側ピックオフセンサ１７０lに関連する剛性は、ドライバ１８０と左側ピックオフセンサ１７０lとの間の導管１３０、１３０'の物理的剛性と、右側ピックオフセンサ１７０rに関連する剛性とに比例する。この剛性は、ドライバ１８０と右側ピックオフセンサ１７０rとの間の導管１３０、１３０'の物理的剛性に比例する。従って、ドライバ１８０と、例えば、右側ピックオフセンサ１７０rとの間に浸食、腐食、損傷、コーティング等がある場合、右側ピックオフセンサ１７０rに関連する剛性は低下し得るが、左側ピックオフセンサ１７０lに関連する剛性は変化しない場合がある。変化を追跡するために、記憶システム２０４はまた、左右のピックオフセンサ１７０l、１７０rに関連付けられた剛性値を含んでもよい。
【００４７】
例えば、図２に示すように、記憶システム２０４は、ベースラインＬＰＯ剛性値２４０を含み、これは、ドライバ１８０と導管１３０、１３０'上の左側ピックオフセンサ１７０lの位置との間の導管１３０、１３０'の物理的剛性に比例する。同様に、記憶システム２０４は、ドライバ１８０と導管１３０、１３０'上の右側ピックオフセンサ１７０rの位置との間の導管１３０、１３０'の物理的剛性に比例するベースラインＲＰＯ剛性値２５０も含む。ベースラインＬＰＯ剛性値２４０及びベースラインＲＰＯ剛性値２５０は、振動計５が現場に設置される前に、例えば、振動計５の製造または較正中に、または以前の再較正中に、検証ルーチン２２０によって決定されてもよい。
【００４８】
記憶システム２０４はまた、ＬＰＯ剛性値２４２及びＲＰＯ剛性値２５２を含む。ＬＰＯ剛性値２４２は、ドライバ１８０と左側ピックオフセンサ１７０lの位置との間の導管１３０、１３０'の物理的剛性に比例するが、ベースラインＬＰＯ剛性値２４０が決定された後である。同様に、ＲＰＯ剛性値２５２は、ドライバ１８０と右側ピックオフセンサ１７０rの位置との間の導管１３０、１３０'の物理的剛性に比例するが、ベースラインＲＰＯ剛性値２５０が決定された後である。
【００４９】
また、図２に示すように、記憶システム２０４は、ＬＰＯ剛性変化値２４４及びＲＰＯ剛性変化値２５４をさらに含む。ＬＰＯ及びＲＰＯ剛性変化値２４４、２５４は、ベースラインＬＰＯ、ＲＰＯ剛性値２４０、２５０とＬＰＯ、ＲＰＯ剛性値２４２、２５２との間の差に比例する。例えば、負のＬＰＯ剛性変化値２４４は、ドライバ１８０と左側ピックオフセンサ１７０lとの間の導管１３０、１３０'の物理的剛性が増加したことを示すことができる。正のＬＰＯ剛性変化値２４４は、ベースラインＬＰＯ剛性値２４０が決定されてから、ドライバ１８０と左側ピックオフセンサ１７０lとの間の導管１３０、１３０'の物理的剛性が低下したことを示す。あるいは、ＬＰＯ及びＲＰＯ剛性変化値２４４、２５４は、ＬＰＯ及びＲＰＯ剛性値２４２、２５２と、ベースラインＬＰＯ及びＲＰＯ剛性値２４０、２５０との間の差であってもよい。従って、例えば、正のＬＰＯ剛性変化値２４４は、ベースラインＬＰＯ剛性値２４０が決定されてから、ドライバ１８０と左側ピックオフセンサ１７０lとの間の導管１３０、１３０'の物理的剛性が増加したことを示すことができる。ＬＰＯ及びＲＰＯ剛性変化値２４４、２５４は、差から決定されるものとして記載されているが、剛性値と、導管の幾何学的形状、寸法などの他の値との比など、ベースラインＬＰＯ及びＲＰＯ剛性値２４０、２５０及びＬＰＯ及びＲＰＯ剛性値２４２、２５２から導出されるか、またはそれらに関連する任意の値を使用することができる。ＬＰＯ及びＲＰＯ剛性変化値２４４、２５４は、整数、比率、パーセンテージなどの任意の適切な単位で表すことができる。
【００５０】
左右のピックオフセンサ１７０l、１７０rに関連する物理的剛性の増減は、物理的剛性変化を引き起こしている導管１３０、１３０'の不洗浄状態を示すことができる。例えば、導管１３０、１３０'の内壁のコーティングは、導管１３０、１３０'の物理的剛性を増大させ得る。特に、例えば、左側ピックオフ・センサ１７０lとドライバ１８０との間の導管１３０、１３０'の内壁のコーティングは、左側ピックオフセンサ１７０lとドライバ１８０との間の導管１３０、１３０'の物理的剛性を増大させ得る。
【００５１】
更に、ドライバ１８０と左側ピックオフセンサ１７０lとの間の導管１３０、１３０'の物理的剛性の相対的な増減、及びドライバ１８０と右側ピックオフセンサ１７０rとの間の導管１３０、１３０'の物理的剛性の相対的な増減は、物理的剛性の変化を引き起こす導管１３０、１３０'の内在する状態をさらに示す。物理的剛性のこの相対的な増減は、記憶システム２０４における剛性対称性値２６０によって示すことができる。
【００５２】
剛性対称性値２６０は、例えば、ＬＰＯ剛性変化値２４４及びＲＰＯ剛性変化値２５４の相対値を示す任意の適切な値とすることができる。例えば、ＬＰＯ剛性変化値２４４及びＲＰＯ剛性変化値２５４は、左右のピックオフ・センサ１７０l、１７０rに関連する導管１３０、１３０'の物理的剛性が、両方とも増加したが、例えば、左側ピックオフセンサ１７０lに関連する物理的剛性が、右側ピックオフセンサ１７０rに関連する物理的剛性よりも増加したことを示すことができる。一例では、剛性対称性値２６０は、パーセンテージで表すことができ、次式によって求めることができる。
【数２】
2022500668.tif 000005
ここで、ＳＭＶｓｔｉｆｆｎｅｓｓ，ＬＰＯ％は、この例では、パーセンテージ変化で表されるＬＰＯ剛性変化値２４４であり、
ＳＭＶｓｔｉｆｆｎｅｓｓ，ＲＰＯ％は、この例では、パーセンテージ変化で表されるＲＰＯ剛性変化値２５４である。
【００５３】
上記の記載はメータ剛性に関するものであったが、他のメータ検証パラメータを追加的に又は代替的に使用することができる。例えば、残留柔軟性は、ベースライン残留柔軟性と比較されてもよい。残留柔軟性は、他の振動モードの共振周波数にある１つの振動モードに関連する周波数応答の一部として定義することができる。例えば、種々の振動モード(例えば、曲げ、ねじれなど)の周波数応答は、周波数応答関数(例えば、周波数に対する応答の大きさ)として特徴付けられる。周波数応答関数は、一般的には、共振周波数からの距離に比例して大きさが傾斜的に減少する所与の振動モードの共振周波数を中心とする。例えば、ブレースバーに位置する２つのノードを有する１次曲げモード(例えば、主位相外れ曲げモード)は、１次曲げモード共振周波数ω１を有してもよい。４つのノードを有する２次曲げモードは、１次曲げモード共振周波数ω１よりも大きい２次曲げモード共振周波数ω２を有してもよい。２次曲げモードの周波数応答関数は、１次曲げモード共振周波数ω１と重複することができる。
【００５４】
従って、２次曲げモードによって生じる１次曲げモードの残留柔軟性は、１次曲げモード共振周波数ω１に存在する２次曲げモードの周波数応答関数の部分である。理解できるように、浸食、腐食、損害、コーティングなどが発生すると、各振動モードの周波数応答が変化するため、所与のモードのこの残留柔軟性値が変化する。従って、残留柔軟性は、振動計の変化を識別するためにも使用することができる。
【００５５】
減衰も用いられる。例えば、メータ検証は、測定された減衰値をベースライン減衰値と比較することができる。減衰は浸食や腐食の影響を受けない可能性があるため、減衰はコーティングの検出に有用である。
同様に、左側又は右側ピックオフセンサ１７０l、１７０rに関連付けられた質量を、左側又は右側ピックオフセンサ１７０l、１７０rに関連付けられたベースライン質量と比較することができる。一例では、予想質量を使用することができる。一例では、較正された空気及び水の質量値と、プロセス流体の測定された密度または既知の密度とに基づく予想質量は、以下の式を使用して計算することができる:
【数３】
2022500668.tif 000006
ここで、
ｍｅｘｐｅｃｔｅｄは、予想質量−振動計に変化が生じなかった場合に測定されるべき質量であり、
ｍｆａｃｔｏｒｙ，ａｉｒは、振動計が空気で満たされている場合に測定される質量であり、
ρａｉｒは、空気の密度であり、
ρｗａｔｅｒは、水の密度値であり、
ρｋｎｏｗｎは、測定されるべき材料の密度である。
【００５６】
予想質量ｍｅｘｐｅｃｔｅｄを使用して、次の式を介してパーセントで表される正規化された質量偏差を計算することができる。
【数４】
2022500668.tif 000007
ここで、
ｍｍｅａｓｕｒｅｄは、メータ検証中に測定された質量であり、
ｍＤｅｖｉａｔｉｏｎは、予想質量ｍｅｘｐｅｃｔｅｄからの測定された質量ｍｍｅａｓｕｒｅｄの質量偏差である。
理解できるように、浸食、腐食、損害、コーティングなどは、振動計内の導管の質量に影響を及ぼし得る。従って、予想質量は、測定された質量と予想質量とを比較することによって、振動計の変化を検出するために使用することができる。
【００５７】
上記の如く、導管の状態を決定する際に、導管の幾何学的形状も考慮されてもよい。例えば、U字形管は、例えば真っ直ぐな管と比較して、導管内の特定の位置で腐食よりも浸食しやすい場合がある。これに加えて、またはこれに代えて、幾つかのプロセス/導管の組み合わせは、特定の状態になりやすい場合がある。例えば、導管１３０、１３０'は、腐食性材料を使用する高温プロセスと比較して、窒素を使用する極低温プロセスにおいて、より損傷を受けやすい。従って、ＬＰＯ剛性変化値２４４、ＲＰＯ剛性変化値２５４、及び剛性対称性値２６０、又はこれらの値を使用する方法は、例えば、導管の形状、構造、寸法、プロセス変数等に関連する要因等の他の値を含むことができる。
【００５８】
図２からも分かるように、記憶システム２０４はまた、剛性標準偏差値２３６、ＬＰＯ剛性標準偏差値２４６、及びＲＰＯ剛性標準偏差値２５６を記憶することができる。これらの値は、例えば、ベースラインメータ剛性値２３０及びメータ剛性値２３２を含むメータ剛性測定値から決定することができる。例えば、剛性標準偏差値２３６は、プールされた標準偏差であってもよい。従って、剛性標準偏差値２３６は、ベースラインメータ剛性値２３０を構成するメータ剛性測定値を含む、メータ剛性値２３２がどの程度変化したかの尺度である。ＬＰＯ剛性標準偏差値２４６及びＲＰＯ剛性標準偏差値２５６はまた、プールされた標準偏差であってもよい。
【００５９】
図２に示す例は、剛性標準偏差を利用するが、メータ検証パラメータデータにおける変動及び分散の他の測度を採用してもよい。例えば、標準偏差の代わりに分散を用いてもよい。すなわち、剛性標準偏差値２３６、ＬＰＯ剛性標準偏差値２４６、及びＲＰＯ剛性標準偏差値２５６は、例示的なメータ検証パラメータの分散値である。これに加えて、またはこれに代えて、ベースラインメータ剛性値２３０及びメータ剛性値２３２に使用することができる平均値の代わりに、中心傾向の他の尺度を使用することができる。従って、ベースラインメータ剛性値２３０及びメータ剛性値２３２は、例示的なメータ検証パラメータの中心傾向値である。
【００６０】
記憶装置は、信頼区間２７０のような他の統計値を記憶することもできる。以下でより詳細に説明するように、信頼区間２７０は、t値２７２、有意レベル２７４、及び自由度２７６に基づいて計算することができる。有意レベル２７４は、例えば検証ルーチン220によって設定されるスカラー値であってもよい。有意レベル２７４は、仮説が実際に真である(例えば、振動計に変化が生じていないときに変化を検出する)ときに帰無仮説を拒絶する確率として定義することができ、典型的には、１％または０.０１などの小さい値である。自由度２７６は、例えば、剛性標準偏差値２３６を決定するために使用されるサンプルの数から計算される。また、バイアス不感帯２７８も示されており、これは検証ルーチン２２０によっても設定され得るスカラー値であり、振動計におけるバイアスが誤ったフラグを誘導しないことを確実にする。
【００６１】
信頼区間２７０は、振動計５の物理的剛性の小さな変化を検出することができ、一方、例えば、メータ検証において以前に使用された所定の限界と比較して、誤警報の数を減らすこともできる。加えて、信頼区間２７０は、比較的単純な数学的演算を使用して計算することができ、それによって、処理システム２０２は、比較的単純な埋め込みコードを使用する検証ルーチン２２０を使用して、頑強な統計技法を使用することができる。
【００６２】
記憶システム２０４はまた、洗浄ルーチン２８０を記憶することができる。洗浄ルーチン２８０は、例えば、インターフェース２０１及び/又は経路２６を介して洗浄モード信号を送信するなどの様々なステップを含むことができる。洗浄モード信号は、例えば、洗浄液を振動計に供給するために、メータ電子機器２０及び/又は振動計５の外部装置によって使用されてもよい。さらに、または代替として、インターフェース２０１は、例えば、洗浄溶液が振動計５に提供されていることを伝える洗浄溶液信号を受信することができる。洗浄溶液信号は、溶液が提供されていること、洗浄溶液の濃度、密度、温度などを含む組成、及び/又は洗浄溶液に関する他のデータを示す。従って、振動計５の洗浄を完全に自動化することができる。洗浄ルーチンは、以下の説明が示すように、メータアセンブリ１０の洗浄状態及び/又は不洗浄状態を検証することができる検証ルーチン２２０を実行することも含む。
【００６３】
図３は、振動計における不洗浄状態の検出を示すグラフ３００を示す。図３に示すように、グラフ３００は、メータ検証カウンタ軸３１０と、パーセント変化軸３２０とを含む。メータ検証カウンタ軸３１０は、０から約２８０の範囲であり、パーセント変化軸３２０は、約−６％から約６％の範囲である。グラフ３００はまた、出口剛性プロット３３０a及び入口剛性プロット３３０bを示す。出口及び入口剛性プロット３３０a、３３０bは、それぞれ、左側ピックオフセンサ１７０l及び右側ピックオフセンサ１７０rと関連付けられてもよい。従って、出口及び入口剛性プロット３３０a、３３０bは、夫々図２を参照して説明したＬＰＯ剛性変化値２４４及びＲＰＯ剛性変化値２５４に対応してもよい。
【００６４】
図３から分かるように、出口及び入口剛性プロット３３０a、３３０bは、約２２５の検証カウントで発散する。理解できるように、出口剛性プロット３３０aは増加し、メータアセンブリ１０の出口の周りの剛性が増加した可能性があることを示している。入口剛性プロット３３０bは減少し、メータアセンブリ１０の入口の周りの剛性が減少した可能性があることを示している。上述したように、これは、コーティングのような洗浄でない状態がメータアセンブリ１０内に存在することを意味すると解釈される。上述したように、メータ電子機器２０は、洗浄ルーチン２８０が、洗浄モード信号の送信、洗浄液信号の受信、及び/又は検証ルーチン２２０の実行などのステップを実行することができる洗浄モードに入る。
【００６５】
図４は、振動計において洗浄な状態を検出する方法４００を示す。図４に示されるように、方法４００は、ステップ４１０において駆動信号を供給することを含む。駆動信号は、例えば、メータ電子機器２０によって、図１に示すメータアセンブリ１０に供給されてもよい。ステップ４２０において、方法４００は、メータアセンブリから１つまたは複数のセンサ信号を受信する。受信されたセンサ信号は、図１を参照して上述したセンサ信号１００であってもよい。例えば、受信されたセンサ信号は、左右のセンサ信号１６５l、１６５rを含むことができる。ステップ４３０で、方法４００は、処理システムを使用して、受信された１つ以上のセンサ信号のパラメータを決定する。パラメータは、メータ剛性値２３２、剛性変化値２３４、ＬＰＯ剛性値２４２、ＬＰＯ剛性変化値２４４、ＲＰＯ剛性値２５２、及び/又はＲＰＯ剛性変化値２５４を含んでもよい。理解されるように、パラメータはまた、図２に示される値のような他の値を含んでもよい。これに加えて、またはこれに代えて、パラメータは、上述の駆動ゲインのような駆動ゲインであってもよい。ステップ４４０において、方法４００は、パラメータに基づいて、メータアセンブリの洗浄状態を検出し、処理システムを非洗浄モードに設定する。非洗浄モードは、例えば、図２を参照して上述した動作ルーチン２１０を実行することを含むことができる。理解できるように、動作ルーチン２１０は、振動計を洗浄するように、メータアセンブリ１０内の不洗浄状態を検出するために、検証ルーチン２２０を実行することを含んでもよい。
【００６６】
図５は、振動計を洗浄する方法５００を示す。図５に示すように、方法５００は、ステップ５１０において、メータアセンブリに駆動信号を供給する。駆動信号は、例えば、メータ電子機器２０によって、図１に示すメータアセンブリ１０に供給されてもよい。ステップ５２０において、方法５００は、メータアセンブリから１つまたは複数のセンサ信号を受信してもよい。受信されたセンサ信号は、図１を参照して上述したセンサ信号１００であってもよい。例えば、受信されたセンサ信号は、左右のセンサ信号１６５l、１６５rを含むことができる。ステップ５３０で、方法５００は、処理システムを使用して、受信された１つ以上のセンサ信号のパラメータを決定する。パラメータは、メータ剛性値２３２、剛性変化値２３４、ＬＰＯ剛性値２４２、ＬＰＯ剛性変化値２４４、ＲＰＯ剛性値２５２、及び/又はＲＰＯ剛性変化値２５４を含んでもよい。理解されるように、パラメータはまた、図２に示される値のような他の値を含んでもよい。ステップ５４０において、方法５００は、パラメータに基づいて、メータアセンブリの不洗浄状態を検出し、処理システムを洗浄モードに置く。洗浄モードは、例えば、図２を参照して上述した洗浄ルーチン２８０を実行することを含むことができる。理解されるように、洗浄ルーチン２８０は、検証ルーチン２２０を実行してメータアセンブリ１０内の洗浄状態を検出することを含むことができる。
【００６７】
理解されるように、方法４００、５００は、パラメータの値がパラメータのベースライン値から実質的に逸脱する場合、不洗浄状態を検出することができ、及び/又はパラメータの値がパラメータのベースライン値に実質的に等しい場合、洗浄状態を検出することができる。上述したように、ベースライン値は、以前に決定された振動計の洗浄状態に関連付けることができる。処理システム２０２の洗浄モードは、洗浄ルーチンを実行するように構成された処理システム２０２を含む。洗浄ルーチンは、受信された１つまたは複数のピックオフ信号のパラメータの値を決定することと、パラメータの値をパラメータのベースライン値と比較することと、比較に基づいて不洗浄状態を検出することを反復的且つ繰り返し実行することを含む。
【００６８】
理解されるように、駆動信号は、共振成分と、少なくとも１つの非共振成分とを含む。１つ又は複数のセンサ信号は、少なくとも１つの成分を含んでもよく、少なくとも１つの成分は、駆動信号の少なくとも１つの非共振成分に対応する。従って、パラメータは、駆動信号の少なくとも１つの非共振成分と、駆動信号の少なくとも１つの非共振成分に対応する少なくとも１つの成分とから決定することができる。追加的に又は代替的に、１つ以上のセンサ信号から決定されたパラメータは、１つ以上のセンサ信号の駆動ゲイン及びメータアセンブリの共振周波数のうちの１つを含むことができる。パラメータは、例えば、メータアセンブリの剛性、質量、及び導管の減衰のうちの１つであってもよいが、任意の適切なパラメータを使用してもよい。
【００６９】
上記は振動計５、特にメータ電子機器２０を、メータアセンブリ１０を洗浄し、メータアセンブリ１０の洗浄状態を洗浄して検出するように構成したものとして説明している。従って、メータ電子機器２０又は処理システム２０２は、洗浄モードに入り、ここで、洗浄ルーチン２８０は、例えば、洗浄モード信号を送ることができ、及び/又は洗浄溶液信号を受信することができる。従って、洗浄ルーチン２８０は、振動計５の洗浄の一部又は全部を自動化することができる。即ち、ユーザの振動計５に対する相互作用及び/または介入を低減または排除することができ、振動計５及び振動計５を使用するシステムのより効率的な利用につながる。
【００７０】
上記の実施形態の詳細な説明は、本記載の範囲内にあるべき、本発明者らによって企図されている全ての実施形態の包括的な説明ではない。事実、当業者であれば、上述した実施形態の特定の要素は、さらなる実施形態を作成するために様々に組み合わせ、又は、なくすことができ、そのようなさらなる実施形態が本出願の範囲及び教示の中に入ることは認識されよう。上述した実施形態は、本記載の範囲及び教示内の追加の実施形態を作成するために全体的に又は部分的に組み合わせることができることも、当業者には諒解されよう。
【００７１】
このように、特定の実施形態が説明の目的で記載されているが、関連技術の熟練者が認識するように、種々の均等な修正が本記載の範囲内で可能である。ここに付与された開示は他の振動計の洗浄及び振動計の洗浄状態の検出に適用され得て、上記の記載及び添付の図面に示す実施形態のみに適用されるのではない。従って、本発明の範囲は、添付の特許請求の範囲から決定されるべきである。
【図１】
2022500668.tif 000008
【図２】
2022500668.tif 000009
【図３】
2022500668.tif 000010
【図４】
2022500668.tif 000011
【図５】
2022500668.tif 000012
【国際調査報告】
2022500668.tif 000013
2022500668.tif 000014
2022500668.tif 000015